(57)【要約】      （修正有）【課題】搬送されてくる荷物情報等を正確かつ迅速に作業員に知らせて作業効率を向上させた手仕分けラインを提供する。【解決手段】荷物４をコンベヤ１上で搬送することができる手仕分けラインであって、コンベヤ１の進行方向と平行に表示情報が並走するようにＬＥＤ電光表示板２がコンベヤ１に隣接して設置されていること、及びＬＥＤ電光表示板２に表示される情報が、コンベヤ速度と同じ速度でコンベヤの進行方向に平行に並走することを特徴とする。表示情報３はコンベヤ上で搬送される荷物情報であることが好ましく、その情報の進行方向先端位置は、前記荷物と進行方向に重複する範囲または前記荷物より先行する荷物より後で前記荷物より前に１ｍまでの進行方向の範囲と平行な位置にあることが好ましい。【選択図】図１
0003186690.tif 000002
【実用新案登録請求の範囲】
【請求項１】
荷物をコンベヤ上で搬送することができる手仕分けラインであって、コンベヤの進行方向と平行に表示情報が並走するようにＬＥＤ電光表示板がコンベヤに隣接して設置されていること、及びＬＥＤ電光表示板に表示される情報が、コンベヤ速度と同じ速度でコンベヤの進行方向に平行に並走することを特徴とする手仕分けライン。
【請求項２】
ＬＥＤ電光表示板に表示される情報がコンベヤ上で搬送される荷物の情報であり、その情報の進行方向先端位置が、前記荷物と進行方向に重複する範囲または前記荷物より先行する荷物より後で前記荷物より前に１ｍまでの進行方向の範囲と平行な位置にあることを特徴とする請求項１に記載の手仕分けライン。
【請求項３】
ＬＥＤ電光表示板に表示される情報が、荷物の仕分けシュート番号、仕分け先の店番号、仕分け先の地名、店名、作業進捗状況、業務連絡、災害情報のいずれか１つを含む情報であることを特徴とする請求項１または２に記載の手仕分けライン。
【考案の詳細な説明】
【技術分野】
【０００１】
本考案は、自動仕分けライン等で仕分けられない荷物または仕分けられなかった荷物を人手によって容易に仕分けることができるように荷物情報等を表示するＬＥＤ電光表示板を設置した手仕分けラインに関する。
【背景技術】
【０００２】
手仕分けラインは、自動仕分け機で仕分けられない規格外の形状及び寸法を持つ荷物や、荷物情報を読み取れなかった荷物などを搬送し、その横に配置された作業員によって適切に仕分けるようになされたラインである。従来、手仕分けラインでは、コンベヤ上を搬送されてくる荷物をそのラインの横に配置された作業員がピックアップし、その荷物に付された情報を確認した後、その情報に基づいて適切な仕分け先に荷物を運搬して仕分ける作業がなされている。
【０００３】
しかしながら、手仕分けラインでの上記作業は多くの正確な確認作業を要するため、極めて煩雑であった。また、搬送されてくる荷物の情報も正確かつ迅速に得られないため、自分の担当仕分け先の荷物のみを迅速にピックアップすることができず、作業効率が極めて悪かった。
【考案の概要】
【考案が解決しようとする課題】
【０００４】
本考案は、かかる従来の手仕分けラインの現状に鑑みなされたものであり、その目的は、搬送されてくる荷物情報等を正確かつ迅速に作業員に知らせて作業効率を向上させた手仕分けラインを提供することにある。
【課題を解決するための手段】
【０００５】
本考案は、かかる目的を達成するために鋭意検討した結果、手仕分けラインに沿ってコンベヤの進行方向に平行にＬＥＤ電光表示板を設置し、ＬＥＤ電光表示板に搬送されてくる荷物の情報をコンベヤ速度と同じ速度で進行方向に並走させることにより、搬送されてくる荷物の情報を作業員に正確かつ迅速に知らせることができることを見い出し、本考案の完成に至った。
【０００６】
即ち、本考案は、以下の（１）〜（３）の構成からなるものである。
（１）荷物をコンベヤ上で搬送することができる手仕分けラインであって、コンベヤの進行方向と平行に表示情報が並走するようにＬＥＤ電光表示板がコンベヤに隣接して設置されていること、及びＬＥＤ電光表示板に表示される情報が、コンベヤ速度と同じ速度でコンベヤの進行方向に平行に並走することを特徴とする手仕分けライン。
（２）ＬＥＤ電光表示板に表示される情報がコンベヤ上で搬送される荷物の情報であり、その情報の進行方向先端位置が、前記荷物と進行方向に重複する範囲または前記荷物より先行する荷物より後で前記荷物より前に１ｍまでの進行方向の範囲と平行な位置にあることを特徴とする（１）に記載の手仕分けライン。
（３）ＬＥＤ電光表示板に表示される情報が、荷物の仕分けシュート番号、仕分け先の店番号、仕分け先の地名、店名、作業進捗状況、業務連絡、災害情報のいずれか１つを含む情報であることを特徴とする（１）または（２）に記載の手仕分けライン。
【考案の効果】
【０００７】
本考案の手仕分けラインは、コンベヤの進行方向と平行に設置されたＬＥＤ電光表示板に荷物情報等をコンベヤ速度と同期して並走して表示されるようにしたので、搬送されてくる荷物の情報を正確かつ迅速に作業員に知らせることができ、作業効率が極めて高い。特に、ＬＥＤ電光表示板に表示される情報が、搬送されてくる荷物に近い特定の位置で流れるようにしたので、作業員の荷物情報の正確な把握が極めて容易である。
【図面の簡単な説明】
【０００８】
【図１】図１は、本考案の手仕分けラインの全体概略図を示す。
【図２】図２は、本考案の手仕分けラインの一部の側面概略図を示す。
【図３】図３（ａ），（ｂ）は、本考案の手仕分けラインのＬＥＤ電光表示板の設置例を示す。
【図４】図４（ａ）〜（ｃ）は、本考案の手仕分けラインのＬＥＤ電光表示板の荷物情報以外の表示例を示す。
【考案を実施するための形態】
【０００９】
本考案の手仕分けラインの実施態様を以下に示すが、本考案はこれらに限定されるものではない。
【００１０】
本考案の手仕分けラインは、特定の表示方法で情報を表示するＬＥＤ電光表示板を設置している以外は、従来公知の手仕分けラインと基本的に同じ構成を持つ。手仕分けラインは、自動仕分けラインで仕分けできない荷物や仕分けできなかった荷物のうち自分の担当仕分け先の荷物をラインのコンベヤの横に配置された各作業員がピックアップするように作られたラインである。この手仕分けラインの上流には、自動仕分けラインや仕分け先入力ラインを連結することができ、作業員の配置場所には作業員がピックアップした荷物を搬送する分岐ラインを連結することができる。
【００１１】
本考案の手仕分けラインの一部の全体概略図、側面拡大概略図を図１，２に示す。図中、１はコンベヤ、２はＬＥＤ電光表示板、３はＬＥＤ電光表示板に表示される情報、４は荷物、５は作業員、６は分岐ライン、７は仕分け先入力ラインである。
【００１２】
本考案の手仕分けラインでは、図１，２の右側から左側へコンベヤ１の搬送面が進行し、その搬送面に荷物４が載ることにより荷物４が右側から左側へ搬送されるようになっている。コンベヤ１の進行方向は、図１，２においては矢印で示されている。
【００１３】
本考案の手仕分けラインでは、ＬＥＤ電光表示板２は、作業員５が表示情報３を容易に確認できるようにコンベヤ１に隣接して設置されており、ＬＥＤ電光表示板に表示される情報３がコンベヤ１の速度と同じ速度でコンベヤの進行方向に平行に並走することができることが特徴である。これにより、図１の上下の矢印のように、ＬＥＤ電光表示板に表示される情報３をコンベヤ１上で搬送される荷物４の搬送速度と同期させて表示させることができ、作業員５の荷物４の情報の確認が極めて容易である。
【００１４】
ＬＥＤ電光表示板に表示される情報３がコンベヤ１上で搬送される荷物４の情報である場合、表示情報３と荷物情報の関係を良好に把握できるようにするため、ＬＥＤ電光表示板２の荷物情報３の進行方向先端位置が、荷物情報に該当する荷物と進行方向に重複する範囲または前記荷物より先行する荷物（存在する場合）より後で荷物情報に該当する荷物より前に１ｍまでの進行方向の範囲と平行な位置にあることが好ましい。これにより、作業員５が搬送されてくる荷物４とＬＥＤ電光表示板に表示される情報３を密接にリンクさせて判断することができる。
【００１５】
ＬＥＤ電光表示板２は、コンベヤ１の進行方向と平行に表示情報３が並走するようにコンベヤ１に隣接して設置されている限り、いかなる形態及び位置で設置してもよいが、例えば図３（ａ）に示すように作業員が荷物を引き取る側とは反対側のコンベヤの側に直立して設置したり、作業員が荷物を引き取る側にコンベヤに沿って平面的に設置することができる。ＬＥＤ電光表示板２は、一つの表示板で長く帯状に設けることができれば好ましいが、費用面や設置の容易性を考慮すると、ＬＥＤ電光表示板２は視認性を損なわない範囲で複数の表示板に分割することができる。複数の表示板に分割した場合であっても、表示情報は、隣接した表示板間でコンベヤ速度と同じ速度でコンベヤの進行方向に平行に並走して受け渡されることが必要である。
【００１６】
ＬＥＤ電光表示板に表示される情報は、図１〜３に示すようにもっぱらコンベヤ上で搬送される荷物情報であることができ、例えば荷物の仕分けシュート番号、仕分け先の店番号、仕分け先の地名、店名などであることができる。荷物情報以外としては、図４（ａ）〜（ｃ）に示すように作業進捗状況、業務連絡、災害情報を表示情報とすることができる。
【００１７】
本考案の手仕分けラインの典型例を上で説明したが、本考案の手仕分けラインは、コンベヤの速度と同期してコンベヤの進行方向に表示情報を並走することができる電光表示板を作業員に容易に視認できるように配置している限り、これらに限定されないことは言うまでもない。また、電光表示板の形態や表示方法は本考案の技術思想を逸脱しない限り、様々な形態を採用することができる。さらに、本考案の手仕分けラインの上流、下流、又は途中に目的に応じて従来公知のラインを接続することも可能である。
【産業上の利用可能性】
【００１８】
本考案の手仕分けラインは、コンベヤ上に搬送されてくる荷物の仕分け先をコンベヤ速度と同期して並走されるようにしているので、空港などの施設の荷物の手仕分けラインにおいて極めて効率よく正確に作業を行なうことができる。
【符号の説明】
【００１９】
１  コンベヤ
２  ＬＥＤ電光表示板
３  表示情報
４  荷物
５  作業員
６  分岐ライン
７  仕分け先入力ライン
【図１】
0003186690.tif 000003
【図２】
0003186690.tif 000004
【図３】
0003186690.tif 000005
【図４】
0003186690.tif 000006